(57)【要約】本発明は、特に研磨板又は艶出し板である板工具（３０）と、駆動モータ（１２）とを有する可搬機械工具（１０）に関し、駆動モータは板工具（３０）を駆動するため機械ハウジング（１１）内に配置され、板工具（３０）の加工面（３１）の振動、回転、及び／又は、偏心運動を生じさせる。可搬機械工具は、被加工材表面（Ｏ）の研磨又は艶出し作業のために、主加工方向（ＨＡ）において前方へ、且つ、少なくとも１つの横加工方向（ＱＲ、ＱＬ）において主加工方向（ＨＡ）を横切って横へ、加工面（３１）とともに案内されることが可能である。可搬機械工具は、板工具（３０）用の被せ具（６０、１６０、２６０）を有する。被せ具（６０、１６０、２６０）は、障害物（ＨＶ、ＨＲ、ＨＬ）との接触から保護するために、主加工方向（ＨＡ）、及び／又は、横加工方向（ＱＲ、ＱＬ）において、加工面（３１）の隣に延在する、ディスク工具（３０、１３０、２３０）の少なくとも１つの横方向面（４７、４８、４９）の上流に配置される、少なくとも１つの保護壁（７７、７８）を有する。少なくとも１つの保護壁（７７、７８）は、主加工方向（ＨＡ）、及び／又は、横加工方向（ＱＲ／ＱＬ）において、少なくとも１つの凹部（７１）を有するよう提供される。板工具（３０）の横方向縁領域は、凹部（７１）を通って、加工面（３１）の領域にある被せ具（６０、１６０、２６０）の外周輪郭（８０）の先へ、自由に突出する。これにより、板工具（３０）の加工面（３１）の縁部又は横方向縁領域の範囲に延在する角領域（４１）は、少なくとも１つの保護壁（７７、７８）に妨げられることなく、被加工材表面（Ｏ）の縁部の加工を行うことができる。
2019513570.tif 000002
【特許請求の範囲】
【請求項１】
特に研磨ディスク又は艶出しディスクであるディスク工具（３０、１３０、２３０）と、駆動モータ（１２）とを、有する可搬機械工具であって、前記駆動モータ（１２）は機械ハウジング（１１）内に配置され、前記ディスク工具（３０、１３０、２３０）を駆動して、前記ディスク工具（３０、１３０、２３０）の加工面（３１、１３１、２３１）の振動、回転、及び／又は、偏心の運動を生じさせ、
前記可搬機械工具（１０、１１０、２１０）は、被加工材表面（Ｏ）の研磨又は艶出し作業のために、主加工方向（ＨＡ）において前方へ、また、少なくとも１つの横加工方向（ＱＲ、ＱＬ）において主加工方向（ＨＡ）を横切って横へ、前記加工面（３１、１３１、２３１）とともに案内されることが可能であり、
前記可搬機械工具（１０、１１０、２１０）は、障害物（ＨＶ、ＨＲ、ＨＬ）との接触からの保護のために、前記主加工方向（ＨＡ）及び又は少なくとも１つの前記横加工方向（ＱＲ／ＱＬ）において、前記加工面（３１、１３１、２３１）の隣に延在する、前記ディスク工具（３０、１３０、２３０）の少なくとも１つの側面（４７、４８、４９）の上流に配置される、少なくとも１つの保護壁（７７、７８）を有する、前記ディスク工具（３０、１３０、２３０）用の被せ具（６０、１６０、２６０）を有し、
少なくとも１つの前記保護壁（７７、７８）は、前記主加工方向（ＨＡ）、及び／又は、少なくとも１つの前記横加工方向（ＱＲ、ＱＬ）に、少なくとも１つの凹部（７１、１７１、２７１）を有し、前記ディスク工具（３０、１３０、２３０）の側縁領域（４２、１４２、２４２）は、少なくとも１つの前記凹部（７１、１７１、２７１）を通って、前記加工面（３１、１３１、２３１）の領域内の前記被せ具（６０、１６０、２６０）の外周輪郭（８０、１８０、２８０）の先へ自由に突出し、それにより、前記側縁領域（４２、１４２、２４２）の範囲で延在する、前記ディスク工具（３０、１３０、２３０）の前記加工面（３１、１３１、２３１）の縁部又は角領域（４１）は、少なくとも１つの前記保護壁（７７、７８）に妨げられることがない状態で、前記被加工材表面（Ｏ）の縁部側の加工をするための準備ができている、ことを特徴とする可搬機械工具。
【請求項２】
前記ディスク工具（３０、１３０、２３０）は、前記被せ具（６０、１６０、２６０）による被覆が無い部分を介して、前記主加工方向（ＨＡ）と反対に後方へ自由に突出し、且つ／又は、前記被せ具（６０、１６０、２６０）は、前記ディスク工具の、特に前記主加工方向（ＨＡ）における後縁部側又は狭い側である、前記主加工方向（ＨＡ）における後ろ部分を、被わない、ことを特徴とする請求項１に係る可搬機械工具。
【請求項３】
前記被せ具（６０、１６０、２６０）は、前記機械ハウジング（１１）に対して、固定具（２５）により取り外し可能に固定できる、ことを特徴とする請求項１又は請求項２に係る可搬機械工具。
【請求項４】
前記ディスク工具（３０、１３０、２３０）は、前記被せ具（６０、１６０、２６０）が取り外されているとき、外周又は側縁領域の全体に被覆が無い、ことを特徴とする請求項３に係る可搬機械工具。
【請求項５】
前記固定具（２５）は、前記機械ハウジング（１１）上に、前記被せ具（６０、１６０、２６０）を嵌合するための差込み受け部（２６）を備え、且つ／又は、前記被せ具（６０、１６０、２６０）を前記機械ハウジング（１１）に係止するための係止具（２９，６９）を備える、ことを特徴とする請求項３又は請求項４に係る可搬機械工具。
【請求項６】
前記被せ具（６０、１６０、２６０）は、工具を必要とすることなく前記機械ハウジング（１１）に固定可能であり、且つ／又は、前記機械ハウジング（１１）から取り外すことが可能である、ことを特徴とする前述の請求項のいずれか一項に係る可搬機械工具。
【請求項７】
前記被せ具（６０、１６０、２６０）は、前記機械ハウジング（１１）の互いに反対の側面を取り囲む複数の側部（６３、６４）を有するクランプ（８５）又は留め具として構成される、ことを特徴とする前述の請求項のいずれか一項に係る可搬機械工具。
【請求項８】
前記機械ハウジング（１１）との係合のための係止手段が前記クランプ（８５）又は前記留め具の前記側部（６３、６４）上に設けられ、且つ／又は、前記機械ハウジング（１１）に固定するための前記側部（６３、６４）は、双方が離隔する方向に向きを変えられることが可能であり、且つ／又は、前記被せ具（６０、１６０、２６０）が前記機械ハウジング（１１）に装着されている状態において、前記側部（６３、６４）は、クランプ座部内で前記機械ハウジング（１１）に隣接することが可能である、ことを特徴とする請求項７に係る可搬機械工具。
【請求項９】
前記加工面（３１、１３１、２３１）は、特に実質的に三角形又は長方形である多角形、又は、特に円形である丸い形である、ことを特徴とする前述の請求項のいずれか一項に係る可搬機械工具。
【請求項１０】
前記ディスク工具（３０、１３０、２３０）の、偏心、振動、内擺線、及び／又は、回転の駆動運動を生じさせるためのギア機構（１４）が、前記駆動モータ（１２）と前記ディスク工具（３０、１３０、２３０）との間に配置される、ことを特徴とする前述の請求項のいずれか一項に係る可搬機械工具。
【請求項１１】
前記ギア機構（１４）は、前述の運動の少なくとも２つの間で切り替え可能であり、且つ／又は、固定又は非固定の回転軸の周りにおける前記ディスク工具（３０、１３０、２３０）の回転運動を、最大３０度、特に最大２０度、好ましくは最大１０度または最大５度だけ、専ら生じさせる、ことを特徴とする請求項１０に係る可搬機械工具。
【請求項１２】
少なくとも１つの前記保護壁（７７、７８）は、前記主加工方向（ＨＡ）において前記ディスク工具（３０、１３０、２３０）を被覆し、且つ／又は、前記主加工方向（ＨＡ）において前記可搬機械工具（１０、１１０、２１０）の最先端部を形成する、ことを特徴とする前述の請求項のいずれか一項に係る可搬機械工具。
【請求項１３】
前記加工面（３１、１３１、２３１）の少なくとも１つの角領域（４１）は、前記主加工方向（ＨＡ）における前記ディスク工具（３０、１３０、２３０）の前方を被覆する前記保護壁（７７、７８）の部分に隣接して横方向に、少なくとも１つの前記凹部（７１、１７１、２７１）を通って、前記被せ具（６０、１６０、２６０）の前記外周輪郭（８０、１８０、２８０）の先に突出し、又は、前方を被覆する前記部分は、各場合において凹部（７１、１７１、２７１）を通って前記被せ具（６０、１６０、２６０）の前記外周輪郭（８０、１８０、２８０）の先に突出する前記加工面（３１、１３１、２３１）の角領域（４１）の間に配置される、ことを特徴とする前述の請求項のいずれか一項に係る可搬機械工具。
【請求項１４】
前記加工面（３１、１３１、２３１）は角又は先端を有し、前記角又は前記先端は、前記主加工方向（ＨＡ）に突出し、且つ、前記主加工方向（ＨＡ）にある前記被せ具（６０、１６０、２６０）の少なくとも１つの前記凹部（７１、１７１、２７１）を通って前方へ突出する、ことを特徴とする前述の請求項のいずれか一項に係る可搬機械工具。
【請求項１５】
前記駆動モータ（１２）で駆動可能な、前記ディスク工具（３０、１３０、２３０）用の運搬板（３３）、又は、前記ディスク工具（３０、１３０、２３０）の一部である運搬板（３３）を更に有する、ことを特徴とする前述の請求項のいずれか一項に係る可搬機械工具。
【請求項１６】
前記運搬板（３３）は、研磨手段又は艶出し手段のための前記加工面（３１、１３１、２３１）に対応する、例えば保持面（３５）を有し、且つ／又は、特に紙やすりである研磨手段又は艶出し手段のためのクッション（３４）又はパッドが前記運搬板（３３）の上に配置される、ことを特徴とする請求項１５に係る可搬機械工具。
【請求項１７】
前記機械ハウジング（１１）は、前記主加工方向（ＨＡ）において、及び／又は、少なくとも１つの前記横加工方向（ＱＲ、ＱＬ）において、前記被せ具（６０、１６０、２６０）の前記外周輪郭（８０、１８０、２８０）、及び／又は、前記ディスク工具（３０、１３０、２３０）の前記加工面（３１、１３１、２３１）の先には突出しない、ことを特徴とする前述の請求項のいずれか一項に係る可搬機械工具。
【請求項１８】
ハンドル要素は、前記機械ハウジング（１１）に固定接続され、前記機械ハウジング（１１）と一体であり、又は、関節配置により前記機械ハウジング（１１）上に関節接続されるように配置される、ことを特徴とする前述の請求項のいずれか一項に係る可搬機械工具。
【請求項１９】
少なくとも１つの前記凹部（７１）は、前記被せ具（６０、１６０、２６０、３６０）の単独の凹部を形成する、ことを特徴とする前述の請求項のいずれか一項に係る可搬機械工具。
【請求項２０】
前記被せ具（１６０）は、少なくとも２つ又はそれ以上の凹部（３７１）が列方向において互いに隣り合うように配置される構成を有し、且つ／又は、
前記被せ具（６０、２６０）は、専ら横加工方向（ＱＲ、ＱＬ）に複数の凹部（７１）を有する、ことを特徴とする請求項１〜１８のいずれか一項に係る可搬機械工具。
【請求項２１】
前記主加工方向（ＨＡ）における前記機械ハウジング（１１）の後ろ部分、及び／又は、粉塵を含む空気のための抽気接続部（２１）は、前記主加工方向（ＨＡ）と反対方向に、前記ディスク工具（３０、１３０、２３０）の前記加工面（３１、１３１、２３１）の上の後方へ突出する、ことを特徴とする前述の請求項のいずれか一項に係る可搬機械工具。
【請求項２２】
前記被せ具（６０、１６０、２６０、３６０）の少なくとも１つの前記保護壁（７７、７８）は、前記ディスク工具（３０、１３０、２３０）、及び／又は、研磨手段又は艶出し手段用の、又は、前記加工面（３１、１３１、２３１）の範囲で研磨手段又は艶出し手段を有する、前記ディスク工具（３０、１３０、２３０）のクッション（３４）又はパッド、の側部を完全に又は実質的に被覆し、且つ／又は、前記加工面（３１、１３１、２３１）の範囲で延在する、ことを特徴とする前述の請求項のいずれか一項に係る可搬機械工具。
【請求項２３】
前記被せ具（６０、１６０、２６０）は少なくとも１つの開口（１９０、２９０）又は複数の開口（１９０、２９０）の配置を有し、前記開口（１９０、２９０）を介して、前記ディスク工具（３０、１３０、２３０）、特に前記ディスク工具（３０、１３０、２３０）の運搬板（１３３）を見ることが可能であり、且つ／又は、前記開口（１９０、２９０）は、特に前記可搬機械工具の抽気接続部（２１）における抽気のための外気の流入に使用される、ことを特徴とする前述の請求項のいずれか一項に係る可搬機械工具。
【請求項２４】
前記被せ具（６０、１６０、２６０、３６０）の少なくとも１つの前記保護壁（７７、７８）は、前記ディスク工具（３０、１３０、２３０）を、前記主加工方向（ＨＡ）、及び／又は、少なくとも１つの前記横加工方向（ＱＲ、ＱＬ）において横方向に被い、且つ、後方では被わない、ことを特徴とする前述の請求項のいずれか一項に係る可搬機械工具。
【請求項２５】
前記外被の形状又は前記被せ具（６０、１６０、２６０、２６０）の前記外周輪郭（８０）は、少なくとも１つの前記凹部（７１、１７１、２７１）の部分を除いて、前記ディスク工具（３０、１３０、２３０）の前記加工面（３１、１３１、２３１）の前記外周輪郭の形状に対応する、ことを特徴とする前述の請求項のいずれか一項に係る可搬機械工具。
【請求項２６】
前記外被の形状又は前記被せ具（６０、１６０、２６０、２６０）の前記外周輪郭（８０）は、少なくとも１つの前記凹部（７１、１７１、２７１）の部分を除いて、特に実質的に三角形又は長方形である多角形、又は、特に円形である丸い形、である、ことを特徴とする前述の請求項のいずれか一項に係る可搬機械工具。
【発明の詳細な説明】
【発明の詳細な説明】
【０００１】
［技術分野］
本発明はディスク工具と駆動モータとを有する可搬機械工具に関し、ディスク工具は特に研磨ディスク又は艶出しディスクであり、駆動モータは機械ハウジング内に配置され、ディスク工具を駆動してその加工面の振動、回転、及び／又は、偏心の運動を生じさせる。可搬機械工具は、被加工材の研磨又は艶出し加工のため、主加工方向における前方へ、また、主加工方向に対する横方向の少なくとも１つの横加工方向へ、加工面とともに案内されることができる。可搬機械工具は障害物との接触から保護するためにディスク工具用の被せ具を有し、被せ具は少なくとも１つの保護壁を有し、少なくとも一つの保護壁は、ディスク工具の加工面に隣接して主加工方向及び／又は少なくとも１つの横加工方向に延在する少なくとも一つの側面の上流に配置される。
［背景技術］
例えば、本願出願人による独国特許出願公開第２０２００５００９０３０号明細書に差込み型構成部品として記載されるような、そのような被せ具は、必要なときに機械ハウジングに取り付けることができ、取り付けにより、主加工方向及び少なくとも１つの横加工方向においてディスク工具の側面を被覆する。そうすることによって、ディスク工具の側面は障害物に衝突することはなく、被せ具の保護壁によって被覆される。そして、側面は、例えば障害物、特に被加工材自体に、例えば衝撃荷重や摩擦などによって破損を生じさせることがなく、一方、概して破損し易いディスク工具の側面も保護される。側面が破損し易いのは、ディスク工具には、一般的に、研磨手段又は艶出し手段を載置するためのクッション又はパッドが備えられるからである。結果として、保護壁はディスク工具と被加工材の両方を保護する。しかしながら、ディスク工具によって被加工材表面の縁部側の加工を行う必要がある場合、作業者は再度被せ具を取り外さなければならず、手間がかかる。
［概要］
故に本発明の目的は、ディスク工具のための被せ具を備えた、改良された可搬機械工具を提供することである。
【０００２】
その目的を達成するために、前述した類の可搬機械工具とともに、少なくとも１つの保護壁は、主加工方向、及び／又は、少なくとも１つの横加工方向において、少なくとも１つの凹部を有するように提供される。ディスク工具の側縁領域は、少なくとも１つの凹部を通って、加工面の領域にある被せ具の外周輪郭の先へ、自由に突出する。それにより、側縁領域の範囲で延在する、ディスク工具の加工面の縁部又は角領域は、少なくとも１つの保護壁に妨げられることのない状態で、被加工材表面の縁部側の加工をするための準備ができている。
【０００３】
こうして、本発明に係る手法により、少なくとも１つの保護壁は、それ自体が、ディスク工具の少なくとも１つの側面を被覆し保護する。そうであっても、主加工方向、及び／又は、少なくとも１つの横加工方向における加工のために凹部を提供し、凹部を通じてディスク工具が言わば被せ具から突出し、又は、被せ具を通して突出する。それにより、ディスク工具の突出する側縁領域、及び、結果として側縁領域における加工面は、被加工材表面の縁部側の加工をするための準備ができている。そして、突出する側縁領域を有するディスク工具は、例えば、幅木、側壁などの範囲で、使用者によって、慎重に案内されることで、研磨方法、艶出し方法などにより被加工材表面を加工するために当該場所で用いられてもよい。この場合、主加工方向、及び／又は、少なくとも１つの横加工方向において、側面の他の部分、又は、ディスク工具又は部分の側面が、被せ具によって効果的に被覆される。それにより、被せ具の少なくとも１つの保護壁によって被覆される側面の部分、又は、ディスク工具の側面に関して、ディスク工具の側面と障害物とを接触させることなく、可搬機械工具及びそのディスク工具を障害物に向かって案内することが可能である。保護壁がその場所でディスク工具を保護するためである。
【０００４】
加工面は、例えば、少なくとも１つの凹部の部分において、被せ具の突出部を越えて、被加工材表面上へと突出する。
少なくとも１つの凹部の部分にあるディスク工具の加工面は、凹部における保護壁の互いに対向し合う端面の間を結ぶ概念的な線の先へ、突出するとも言うことができる。
【０００５】
「そこを通って、ディスク工具の側縁領域は、加工面の領域にある被せ具の外周輪郭の先へ、自由に、突出する」という定義に代わって、又は、それに加えて、「そこを通って、ディスク工具の側縁領域は、加工面の領域にある被せ具の外被（envelope）の先へ、自由に、突出する」と言うことも可能である。ここで外被は、幾何学的な外被を意図するところの外被である。
【０００６】
少なくとも１つの凹部は、例えば、少なくとも１つの保護壁からのＵ字状又はＶ字状の切り欠きであり、又は、そのような切り欠き部を備える。
少なくとも１つの保護壁には、１つのみの凹部が設けられてもよい。ただし、列方向において、互いに隣同士に配置される複数の凹部が設けられることも可能である。凹部は、例えば、鋸歯状の構造を有してもよい。凹部は、波状の輪郭により規定されてもよい。さらに、少なくとも１つの保護壁又は保護壁全体の、特に長方形の歯状である歯のような形状の部分の間に、凹部が設けられてもよい。
【０００７】
被せ具は、ディスク工具の加工面とは反対の側を、少なくとも部分的に被覆する、被覆庇を形成してもよい。
可搬機械工具は、艶出し機械工具又は研磨機械工具と称してもよい。可搬機械工具上に、異なるディスク工具、すなわち、研磨手段又は艶出し手段、又は少なくとも、ディスク工具上の対応する加工面を設けることが可能なため、可搬機械工具は研磨又は艶出しに使用可能である。ディスク工具又はその加工面が交換可能である場合は、可搬機械工具が研磨及び艶出しの両方のために変更可能であると有利である。
【０００８】
駆動モータは、例えば、電気モータ又は空圧モータである。例えば、可搬機械工具は、電気エネルギ、空気エネルギ又は圧縮空気によって駆動可能である。好ましくは、可搬機械工具は、特に電池パックである可搬電気エネルギ貯蔵装置とのインタフェースを有する。ただし、機械工具は有線で稼動されてもよく、つまり、電気又は空気供給ネットワークに接続するための少なくとも１つのネットワークインタフェースを有する。
【０００９】
ディスク工具は、好ましくは板状である。
ディスク工具又は可搬機械工具は運搬板を有すると有利である。運搬板は実質的に耐捻り性を有し、且つ／又は、金属、及び／又は、プラスチック材から成ると有利である。運搬板は、肋状又は他の強化構造を有してもよい。運搬板は、駆動モータ又は駆動モータによって駆動されるギア機構の出力部に固定接続されてもよい。運搬板は、ギア機構又は駆動モータの出力部を形成してもよい。あるいは、運搬板は、そのようなギア機構又は駆動モータの出力部に取り外し可能に接続できるものであってもよい。例えば運搬板は、例えば紙やすり、艶出し又は編み状研磨繊維などの研磨手段又は艶出し手段のための加工面に対応する保持面を有すると有利である。運搬板上には、研磨手段又は艶出し手段のためのクッション又はパッドも設けられてもよい。
【００１０】
ディスク工具又はディスク工具用の運搬板は、クッション又はパッドを有すると有利である。クッション又はパッド上に、例えば紙やすり、研磨パッド、艶出し手段などの研磨手段又は艶出し手段を取り付けるための接着層又は面ファスナー層が配置されると有利である。それにより、摩耗したときは、容易に交換可能である。クッション又はパッドは、艶出し手段、研磨手段などをその作業面上に、一体的に有することも可能である。
【００１１】
被せ具の少なくとも１つの保護壁は、加工面の範囲にわたって延在すると有利である。それによって、作業面のみ、又は、例えば約１ｍｍ、２ｍｍ又は３ｍｍの作業面の上の狭い部分のみが、自由に、被せ具の保護壁の先へ突出すると有利である。
【００１２】
被せ具の少なくとも１つの保護壁は、加工面の範囲で、ディスク工具の側面を、完全に又は実質的に被覆するよう提供されるのが好ましい。
被せ具の少なくとも１つの保護壁が、例えば紙やすりである研磨手段又は艶出し手段のための又は研磨手段又は艶出し手段を有するディスク工具のクッション又はパッドを完全に又は実質的に被覆すると有利である。
【００１３】
ディスク工具は、可搬機械工具の固定される構成要素を、少なくとも部分的に形成してもよい。したがって、例えば、運搬板、及び／又は、クッション又はパッドは、例えばネジ止めや、接着剤による接着などで、可搬機械工具に固定接続されてもよい。
【００１４】
ただし、ディスク工具は可搬機械工具の工具受け部に取り外し可能に固定されることも可能である。それによって、ディスク工具は、摩耗の場合又は別のディスク工具が必要な場合は、容易に交換することが可能である。工具受け部上には、例えば、ディスク工具を工具受け部に取り外し可能に固定するための、バヨネット外形やネジ止め手段や差込み用外形などを設けてもよい。ディスク工具は、例えば対となるバヨネット外形、ネジのための貫通穴などの対となる外形を有する。
【００１５】
有利さを考慮すれば、ディスク工具は、被せ具の空いている部分を通って主加工方向と反対の方向へ後方に、自由に突出する。したがって、単数または複数の保護壁は、主加工方向及び好ましくは少なくとも１つの横加工方向において横方向にディスク工具を被覆するが、後ろに向かっては被覆しない。その結果、被加工材表面の縁部側の加工作業に必要とされる、ディスク工具の加工面の後ろの縁領域の、導入部分で説明した状態のものが、比較的広い範囲で得られる。加えて、被せ具の少なくとも１つの保護壁にある、少なくとも１つの凹部を通って突出する、加工面の縁部側部分もある。
【００１６】
被せ具が、主加工方向において、ディスク工具の後ろ部分、例えば後端部側又は後ろにある狭い側などを、完全又は部分的に被わないことも有利である。
被せ具が、後方で主加工方向を横切って、特に主加工方向を横切ってディスク工具の横幅全体において、ディスク工具を被覆しないことが好ましい。例えば長方形の加工面を有するディスク工具は、本実施形態において後ろの横方向の狭い側又は横方向端部側は、被せ具によって被覆されない。実質的に三角形の加工面を有するディスク工具においては、例えば作業方向において後方に配置される三角形の部材は、被せ具によって被覆されない。
【００１７】
特にハンドル部である主加工方向における機械ハウジングの後ろ部分、及び／又は、粉塵を含む空気のための抽気接続部分は、ディスク工具の加工面の上で後方に、主加工方向の反対方向へ突出することが可能である。その後ろ部分、又は、例えば吸い込みホースに接続可能である粉塵を含む空気のための抽気パイプが、ディスク工具の加工面の縁部側の使用を妨げる場合、又は、阻む場合であっても、本発明によって設けられる少なくとも１つの凹部によって、保護壁を通って突出する加工面の端部又は角領域は、そのときでもまだ被加工材表面の縁部側の加工に確実に使用可能である。
【００１８】
本発明の一実施形態では、被せ具は可搬機械工具の固定構成部品であってもよい。例えば、機械ハウジングに一体的又は固定的に接続されてもよい。
必要に応じて、被せ具は、可搬機械工具又は機械ハウジングから取り外し可能であると好都合である。
【００１９】
被せ具は、工具を必要とせず機械ハウジングに固定可能であり、且つ／又は、被せ具は、工具を必要とせず機械ハウジングから取り外し可能であることが好ましい。
被せ具は、固定手段を使用して、機械ハウジングに取り外し可能に固定できることが好ましい。固定手段は、例えば、係止手段、クランプ手段、及び／又は、少なくとも１つの差込み受け部を含んでもよい。固定手段は、つめ、クランプ、及び／又は、ネジなどを含んで簡単に構成されてもよい。被せ具が機械ハウジングから取り外されると、ディスク工具は外周において、完全に自由な状態、つまり、外周領域、横方向縁部領域、又は、ディスク工具全体は、被覆が無い状態となることが望ましい。それによって、ディスク工具の側縁領域の全体又は外周領域を、障害物に隣接する被加工材表面の縁部領域の方へ案内することが可能である。
【００２０】
望ましい実施形態では、固定手段は、被せ具を嵌合するための差込み受け部を、機械ハウジング上に備える。
差込み受け部は、被せ具を機械ハウジングに取り付けられる差込方向を横切るように、凸ロック状態で、被せ具を案内し、且つ／又は、保持する、差込みガイド又は差込み外形を含むと有利である。
【００２１】
被せ具は、係止手段又は係止具を使用して、機械ハウジングに係止可能であることが望ましい。係止具は、例えば、少なくとも１つの係止突起と、少なくとも１つの係止受け部とを含み、少なくとも１つの係止突起は係止位置において少なくとも一つの係止受け部と係合する。
【００２２】
被せ具は、例えば、互いに反対の側で機械ハウジングを囲む複数の側部を有する留め具又はクランプとして構成される。この互いに反対の側は、例えば、少なくとも１つの横加工方向に関連付けられる。留め具又はクランプが機械ハウジングに固定されると、留め具又はクランプの基部は、主加工方向を向く機械ハウジングの前側に当接することが好ましい。
【００２３】
クランプ又は留め具の側部は、機械ハウジングとの係合のために設けられる、例えば係止突起又は係止受け部である係止手段を有すると好都合である。相補的な係止手段、つまり係止受け部又は係止突起が機械ハウジング上に設けられると好都合である。係止手段は、被せ具の側部の自由端の領域に設けられると有利である。
【００２４】
クランプは、例えばクランプ手段を形成する。
機械ハウジングへの固定のために、クランプの側部は、互いに向かい合う方向の張力を有し、且つ、広げられ、もしくは、互いに離隔する方向へ向けられ得ることが好ましい。
【００２５】
クランプ又は留め具の側部は、機械ハウジングへの固定のため、互いに離隔し合う方向へ向けられ得ることが好ましい。クランプ又は留め具は機械ハウジングに固定できるよう、広げることができる。そこで側部は、互いに向かい合う方向にあらかじめ弾性的に負荷を掛けられ、かつ／又は、張力を有することが好ましく、これにより、例えば前述の、特に側部の自由端の領域内の留め具は、機械ハウジングの相補的係止手段と、係止的係合状態となり得ることが好ましい。この実施形態において係止は絶対に必要ということはない。特に、例えばクランプ座部において、クランプを機械ハウジング上に保持することは可能である。
【００２６】
機械ハウジングの凸状ロックの対の外形との凸状ロック係合のために、被せ具の基部上に、少なくとも１つの凸状ロック外形を設けると好都合である。例えば、凸状ロック外形は、被せ具を機械ハウジング上に正確な回転角度で装着するよう機能する。さらに凸状ロック外形は、符号化部を構成してもよく、それにより、機械ハウジングに適合する被せ具のみが機械ハウジングに固定可能となる。そして機械ハウジング上には、被せ具の符号化固定のために、凸状ロックの対の外形によって形成される、対応する受け符号化部が設けられる。
【００２７】
ディスク工具は、例えば多角形の加工面を有する。例えば、加工面は実質的に三角形又は長方形である。特に、前述の三角形の加工面を有する対応する研磨ディスク、艶出しディスク又は他のディスク工具が備えられる場合は少なくとも、可搬機械工具は、いわゆる長方形グラインダ又は三角形グラインダであってもよい。ここで、実質的に三角形の加工面を有するディスク工具は、丸い又は丸められた縁を有してもよい。
【００２８】
ただし、本発明は、特に円形である丸いディスク工具と共にであっても容易に使用され得る。ディスク工具又はその加工面又は双方とも、例えば円形、長円形、卵形などであってもよい。
【００２９】
少なくとも１つの凹部の部分を除いて、加工面の領域にある被せ具の外被又は外周輪郭の形状は、加工面の外周輪郭の形状と概ね対応すると有利である。したがって、三角形のディスク工具又は三角形の加工面を有する被せ具の外被又は外周輪郭もまた三角形であることが有利であり、丸い加工面を有する場合には、丸いこと、特に円形、長円形、又は卵形であることが有利であり、長方形の加工面を有する場合には、長方形であることが有利である。
【００３０】
ディスク工具の、偏心、振動、内擺線、及び／又は、回転の駆動運動を生じさせるためのギア機構は、駆動モータとディスク工具との間に配置され、ギア機構は前述の類の運動の少なくとも２つに切り替え得ることが有利である。
【００３１】
丸いか、又は円形のディスク工具は、駆動モータによって回転状又は環状に駆動され得ると有利である。その回転運動は、軸の周りを回る運動のみであってもよい。ただし、内擺線回転運動、つまり、ディスク工具の重ね合わせの円回転運動であってもよい。
【００３２】
ただし、円形ではないディスク工具においては、回転不可能なディスク工具、又は、横方向に制約がある回転運動が有利である。例えば、可搬機械工具は、ディスク工具の回転運動を横方向において制約する、少なくとも１つの回転制止部を有する。回転制止部は例えば、ギア機構又は別の装置の構成部品であってもよい。
【００３３】
特に多角形のディスク工具である非円形のディスク工具は、駆動モータとディスク工具との間に配置されるギア機構の使用により、駆動モータにより偏心、及び／又は、振動するように駆動可能であると有利である。ギア機構は切り替えが可能で、例えば偏心動作から回転動作へなど、少なくとも２つの種類の動作の間で切り替えが可能であると有利である。
【００３４】
少なくとも１つの保護壁は、主加工方向においてディスク工具を被覆し、又は、ディスク工具の上流の前方に配置されると有利である。これにより、その場所では、当てはまる場合には少なくとも１つの保護壁が可搬機械工具の前方にある障害物に衝突する一方で、少なくとも１つの凹部が側面に設けられるので、作業者は、言うなれば妨げられることなく、前へと、つまり主加工方向へと、作業可能である。
【００３５】
ディスク工具が多角形であり、且つ／又は、特に４０度より大である３０度より大きな回転運動には適さない外周輪郭又は表面形状のみを有することも可能である。ただし、例えば、加工面の角領域は、特に振動可能であるように、少なくとも１つの凹部に受け入れられ得る。
【００３６】
主加工方向において、少なくとも１つの保護壁又はその部分は、可搬機械工具の最先端部又は前の部分を形成することが有利である。したがって、当てはまる場合、保護壁は、主加工方向において可搬機械工具の先の前方の真正面に位置する障害物に衝突する。
【００３７】
そのため、主加工方向の前方の真正面となる状態で、保護壁の部分又は保護壁の全体が設けられることが有利である。保護壁の当該部分と横方向に隣接して、加工面の少なくとも角領域が、少なくとも１つの凹部を通って、被せ具の外周輪郭の先へ突出する。したがって、言わば主加工方向において、前方へ向けられている加工面の部分は、被加工材表面の縁部側の加工に使用できる。
【００３８】
角領域は、主加工方向に対して垂直に横切るように延在する少なくとも１つの側縁を有することが有利である。例えば、加工面は長方形であり、加工面の前側の面は、主加工方向を横切って延在する。この前側の縁は、保護壁の少なくとも１つの部分によって被覆されるが、縁の少なくとも一方の側は被覆されない。
【００３９】
主加工方向において前方を被覆する保護壁の部分に加えて、加工面の角領域が各場合において突出する配置は特に好ましい。こうして、保護壁は、各場合において加工面の角領域が通って突出する凹部の間に配置される。
【００４０】
ただし、主加工方向において、言わば加工面の角又は先端が、被せ具の少なくとも１つの凹部を通って、前方へ突出することも可能である。少なくとも１つの保護壁は、角又は先端に隣接して横方向へ延在し、ディスク工具の側面を保護する。例えば、加工面は三角形であり、加工面の前方の角領域は、角又は先端のように突出する。例えば、作業者は主加工方向における移動の場合においてのみ、ある程度の注意を払うことで、ディスク工具の側面は障害物に衝突せず、一方で、主加工方向を横切る、少なくとも１つの横加工方向で、保護壁又は保護壁の部分はディスク工具を被覆し、結果としてディスク工具を保護する。
【００４１】
例えば、機械ハウジングは、被せ具の外周輪郭、及び／又は、ディスク工具の加工面の先へ突出しないことによって、主加工方向又は少なくとも１つの横加工方向、又は、それら両方向において、作業を妨害しないことが好ましい。つまり、主加工方向又は少なくとも１つの横加工方向において可搬機械工具を移動させるとき、機械ハウジングは障害物に衝突しない。ディスク工具及び被せ具は、主加工方向、及び／又は、少なくとも１つの横加工方向において、被加工材表面又は加工面上に、機械ハウジング又は機械ハウジングの突出した部分より先へ突出する。したがって、被せ具は、加工面の範囲で、少なくとも１つの凹部に隣接して言わば可搬機械工具の前側を形成し、一方で、ディスク工具は側縁領域により、少なくとも１つの凹部において、言わば可搬機械工具の前の外側領域を形成する。
【００４２】
機械ハウジングは、例えばハンドル部を有してもよい。ハンドル要素は、機械ハウジングに固定的に接続又は一体化されるのが好ましい。例えば、ハンドル部又はハンドル要素は作業者の手によって握られることが意図される。ハンドル部又はハンドル要素は、手首補助部を有すると有利である。
【００４３】
ただし、それに代えて、特に棒状のハンドル要素は、例えば１つ以上の回転軸受けを有する関節配置である、関節配置によって、機械ハウジングと関節接続されるように、支持されることもできる。それによって、機械ハウジングは、例えば関節配置によって、ハンドル要素に対して１つ以上の回転軸の回りを回ってもよい。特に、可搬機械工具は、壁研磨手段又は天井研磨手段であってもよい。
【００４４】
被せ具は、１つ以上の貫通開口を有すると有利である。貫通開口は、１つ以上の列状の配置において、互いに隣接するように配置されてもよい。各場合において少なくとも１つの貫通開口が、又は、少なくとも２つの貫通開口の列状の配置が、被せ具の長手側に配列され、特に主加工方向と平行又は主加工方向に対して斜めとなる小さな角度を持って配列されることがとりわけ好ましい。少なくとも１つの貫通開口が被せ具の上側に配置されるのが好ましい。
【００４５】
少なくとも１つの貫通開口を通して、例えばディスク工具、特にその運搬板を見ることが可能である。特に上方から被せ具を通して、運搬板又はディスク工具を見ることが可能である。
【００４６】
少なくとも１つの貫通開口は、ディスク工具の領域に外気を流入させるように機能してもよい。外気は、好ましくは、可搬機械工具の抽気接続部において抽出され得る。
以下、本発明の実施形態を、図面を参照して説明する。
【図面の簡単な説明】
【００４７】
【図１】互いに離れた状態の可搬機械工具及び関連する被せ具を示す斜視図である。
【図２】被せ具が取り付けられた状態の図１の可搬機械工具を示す。
【図３】異なる被せ具を有する上図の可搬機械工具であって、互いに離れた状態を示す。
【図４】図３の可搬機械工具及び被せ具の配置を示し、被せ具が可搬機械工具上に配置されている。
【図５】さらに別の被せ具を有する上図の可搬機械工具であり、互いに離れた状態を示す。
【図６】被せ具が取り付けられた図５の可搬機械工具を示す。
【発明を実施するための形態】
【００４８】
図示される可搬機械工具１０は、ディスク工具３０を駆動するための駆動モータ１２が配置される機械ハウジング１１を有する。例えば、機械ハウジング１１に対するディスク工具３０の内擺線運動（ハイポサイクロイド運動）を生じさせる偏心ギア機構などのギア機構１４を、駆動モータ１２とディスク工具３０の間に備えてもよい。ディスク工具３０は、例えばギア１４の出力部１３上に配置される。ギア機構１４は、駆動モータ１２の出力と出力部１３との間で、減速又は他の速度変化を生じさせてもよい。
【００４９】
例えば手で包まれるハンドル部１５の使用により機械ハウジング１１が握られてもよく、ハンドル部１５の前方の領域には駆動モータ１２をスイッチオン及びスイッチオフするための駆動スイッチ１６が備えられる。
【００５０】
駆動モータ１２自体は、機械ハウジング１１の駆動部１７内に配置される。ディスク工具３０は、ハンドル部１５から離隔した、図では駆動部１７の底部となる機械ハウジング１１の土台領域１８に配置される。例えば研磨加工作業又は艶出し加工作業といった状況の中で、ディスク工具３０の加工面３１によって、被加工材Ｗの被加工材表面Ｏが加工され得る。作業者は、例えばハンドル部１５で可搬機械工具１０を握って、加工面３１とともにディスク工具３０を被加工材表面Ｏの上を案内してもよく、例えば、主加工方向ＨＡに真っ直ぐに前進させ、又はさらに主加工方向ＨＡを横切って側方に向かって横加工方向ＱＲ右へ、及び、横加工方向ＱＬ左へ、と案内してもよい。この場合、例えば被加工材表面Ｏ上の円運動も、容易に実施可能である。
【００５１】
加工面３１上においては、加工表面は、例えば対応する粒状コーティングや研磨繊維などのコーティングが一体的に備えられてもよい。ただし望ましくは、加工面３１領域に例えば面ファスナー手段や接着層といった保持手段を備えて、実際の加工面３１を提供する、例えば編み状研磨繊維といった研磨シート又は別の研磨手段４０を保持してもよい。このように、加工面３１は交換可能な研磨手段又は艶出し手段で形成されもよい。被加工材表面Ｏは、研磨手段４０を使用して、例えば研磨されてもよい。あるいは、艶出し用ディスク、又は、例えば編み状艶出し用繊維といった同様の他の艶出し手段も、容易に使用可能である。
【００５２】
出力部１３の領域又は運搬板３３の上には、機械ハウジング１１内において、図では表れない抽気室１９が備えられ、流れに関して、抽気室１９は機械ハウジング１１の抽気接続部２１へと接続される。被加工材の加工作業によって生じる塵やそれに類する他の粒子は、抽気接続部２１を介してディスク工具３０の領域から抽出することができ、そのために、ディスク工具３０は、例えば横方向流入口３２、及び、ディスク工具３０の下側と連絡する流入口を有する（概略的に図示する）。
【００５３】
本例において、ディスク工具３０は、出力部１３、つまり運搬板３３と、少なくとも部分的には固定的に接続される。ただし、出力部１２は、運搬板３３を取り外し可能に固定し得る、例えばバヨネット外形や、ネジ受け部などを有する工具受け部を有することも可能である。
【００５４】
運搬板３３の保持面３５上には、例えばパッドなどのクッション３４が配置される。クッションは、例えば発泡体やゴムなどの弾性材を含む。クッション３４は運搬板３３に対して、例えばネジ固定され、接着剤で接着され、又は他の方法で固定接続されるが、好ましくは交換可能である。一方、研磨手段４０は、例えば面ファスナー手段などを有するクッション３４の固定面３６に取り外し可能に固定されてもよく、すなわち、摩耗や他の品質的必要性が生じた際は、容易に取り替え可能である。
【００５５】
ディスク工具３０は、その部分３７が主加工方向ＨＡに突出し、部分３８が横加工方向ＱＲ及びＱＬに側方へ突出し、部分３９が主加工方向ＨＡと反対に後方へ突出し、ディスク工具３０の領域において、機械ハウジングの外周輪郭２０の先に突出している。それにより、ディスク工具３０は言わば露出されているので、図１に示される可搬機械工具１０の状態で、被加工材表面Ｏの縁部側の加工が容易となる。例えば、部分３７は機械ハウジング１１の前側２２の先に、部分３８は側方へ機械ハウジング１１の横側２３の先に、突出する。後方の部分３８はある程度抽気接続部２１に保護されているが、機械ハウジング１１の後ろ側２４の先に突出する。
【００５６】
図１に示される言わば被覆がない状態において、ディスク工具３０は、その前側面４７が、被加工材表面Ｏの先において突出する障害物ＨＶに衝突するまで、加工面３１とともに主加工方向ＨＡの前方へ障害物ＨＶまで案内され得る。側方へも、ディスク工具３０は、その横側面４８が障害物ＨＲ又はＨＬに衝突するまで、障害物ＨＲ又はＨＬに向かって横加工方向ＱＲ及びＱＬへ案内され得る。後方、つまり主加工方向ＨＡと反対の向きにも、縁部側の加工が容易に実施可能であって、加工面３１は、被加工材表面Ｏの先において突出する、例えば幅木などの障害物ＨＨに、ディスク工具３０の後ろ側面４９が衝突するまで、案内され得る。
【００５７】
ただし、作業者は概して、ディスク工具３０の破損しやすい側面と障害物自体を破損させないため、そのような衝突を避けたがる。その理由は、弾性のあるクッション３４及び研磨手段４０の狭い側面も破損しやすく、障害物ＨＶ、ＨＲ、ＨＬとの衝突によって破損する可能性がある、と考えるからである。さらに、特に硬質プラスチック材や金属といった硬い材質を含むことが望ましい運搬板３３の狭い側面は、障害物ＨＶ、ＨＲ、ＨＬを破損させる可能性もある。加えて、ディスク工具３０の加工面３１は多角形（本例では長方形）の構造を有し、ディスク工具３０の直線状の角領域４１は、主加工方向ＨＡおよび横加工方向ＱＲ及びＱＬにおいて角４３又は外側の角を有しており露出されているので、特に障害物と衝突するおそれがある。
【００５８】
ディスク工具３０に代えて三角形のディスク工具１３０を有する図３及び図４に示す可搬機械工具１１０の場合でも同様の状況が生じる。例えば、ディスク工具１３０は、実質的に三角形の加工面１３１と、同様に実質的に三角形で、三角形のクッション１３４が保持される、運搬板１３３とを、有する。円形のディスク工具２３０を有する図５及び図６に示す可搬機械工具２１０においても同様の状況が生じる。つまりディスク工具１３０、２３０は各々、接線方向において障害物に衝突し、それによって工具自体が破損し、又は障害物ＨＶ、ＨＲ、ＨＬが破損し、又はその双方が破損する。
【００５９】
前方へ突出する部分１３７、横の部分１３８、及び後ろの部分１３９はいずれも、機械ハウジング１１の突出した部分より先へ、被加工材表面Ｏ上に突出しており、つまり、露出されている。突出する部分１３７は先端１４３又は先端領域１４１を形成し、先端１４３又は先端領域１４１は主加工方向ＨＡの前方で露出されている状態にあり、機械ハウジング１１又はその前側２２の先へ突出する。ディスク工具１３０の側面２４８は、先端領域１４１から、後ろの縁部側の側面１４９が設けられる後ろの部分１３９まで延在する。側面１４８、１４９は、例えば、被加工材表面Ｏの先において突出する障害物に接触し、容易に破損され得る。
【００６０】
ディスク工具２３０は、実質的に丸い円形状の外側輪郭と加工面２３１とを有する。加工工具の運搬板２３３又はディスク工具２３０及び運搬板２３３上に配置されるクッション２３４も同様に丸く、特に円形である。ディスク工具２３０は、ディスク工具３０、１３０より幾分コンパクトであるが、機械ハウジング１１に対しては完全に露出されており、特に、被加工材表面Ｏの縁部側を加工する際、その上方へ突出する障害物によるリスクがある。
【００６１】
ディスク工具２３０はその前の部分２３７が、機械ハウジング１１の前側２２の先において、例えば前方へと突出する。ディスク工具２３０の横の部分２３８は、側方へ同様に、機械ハウジング１１の横側２３の先において、言わば横へと突出する。対して、機械ハウジングの後ろ側２４又は外周輪郭２０の先において突出する後ろの部分２３９は、実質的に抽気接続部２１の下に配置されるので、それによって保護される。そうであっても、ディスク工具２３０の少なくとも横の部分２３８と前の部分２３７とは、どちらも露出されており、障害物に衝突する危険があり、一方ではディスク工具２３０に、他方では障害物ＨＶ、ＨＲ又はＨＬに、破損が生じる可能性がある。
【００６２】
これらの問題を解決するために、被せ具６０、１６０、２６０が提供され、それらの被せ具６０、１６０、２６０は必要に応じて、ディスク工具３０、１３０、２３０を被覆するために機械ハウジング１１に固定することが可能である。
【００６３】
被せ具６０、１６０、２６０はそれぞれ、ベース部６１、１６１、２６１を有し、それらのベース部６１、１６１、２６１は各々、基部６２、１６２、２６２を有し、そこから側部６３、１６３、２６３及び６４、１６４、２６４が突出して、受け部６５を規定する。受け部６５には、機械ハウジング１１が言わば挿入可能であり、又言い換えれば、受け部６５によって被せ具６０、１６０、２６０は機械ハウジング１１に対して挿入方向Ｅに嵌合可能である。そして、側部６３、１６３、２６３及び６４、１６４、２６４は、機械ハウジング１１の横側２３と当接し、基部６２、１６２、２６２は機械ハウジング１１の前側２２と当接する。こうして、被せ具６０、１６０、２６０と機械ハウジング１１との間の差込型（プラグタイプ）の接続が可能である。
【００６４】
機械ハウジング１１の外周輪郭２０上には、固定手段２５の構成部品としての差込み受け部２６が設けられ、側部６３、１６３、２６３及び６４、１６４、２６４により形成される差込み突出部６６を受け入れる働きをする。
【００６５】
被せ具６０、１６０、２６０はクランプ８５として構成され、クランプのように機械ハウジング１１に嵌合可能である。
機械ハウジング１１上での被せ具６０、１６０、２６０の中央の中心位置合わせのために、例えば凸状ロック受け部のような凸状ロック外形部６７が例えば基部６２、１６２、２６２に設置される。凸状ロック外形部６７は、被せ具６０、１６０、２６０が機械ハウジング１１に嵌合された状態で、機械ハウジング１１の前側２２において凸状ロックの対の外形２７と係合する。
【００６６】
機械ハウジング１１と被せ具６０、１６０、２６０との間の差込み型接続は機械ハウジング１１に設けられるガイド受け部２８を含む。ガイド外形部６８はガイド受け部２８の中へ突出し、ガイド外形部６８は受け部６５が突出する方向に内側に向かって突出している。各被せ具６０、１６０、２６０が機械ハウジング１１に嵌合されるとき、ガイド外形部６８は凸状ロックの態様でガイド受け部２８に係合する。結果として、被せ具６０、１６０、２６０は挿入方向Ｅに対して横方向において、凸状ロックの態様で保持される。
【００６７】
挿入方向Ｅに対する保持は、側部６３、１６３、２６３及び６４、１６４、２６４の自由端領域にある係止突起６９を有する係止手段による係合によって確実に行われる。係止突起６９は、各被せ具６０、１６０、２６０が機械ハウジング１１に嵌合されるとき、機械ハウジング１１の横側２３もしくはガイド受け部２８の長手方向の端の領域にある係止受け部２９と係合する。本例においては、側部６３、１６３、２６３と６４、１６４、２６４は、双方が離隔する方向もしくは受け部６５を広げる方向に柔軟に又は弾性的に方向を変えることが可能であり、且つ、係止突起６９が係止受け部２９に対向する位置にあるときは、再び双方は互いの方へ向かって移動することが可能であると有利である。
【００６８】
被せ具６０、１６０、２６０の係止突起６９の差込み受け部２６への導入は、側部６３、１６３、２６３の自由端領域にある傾斜導入部７４により容易となる。係止されている係止突起６９の係止を外すことは、側部６３、１６３、２６３及び６４、１６４、２６４上の係止突起６９の領域に設けられる抓み７５により援助され容易となる。
【００６９】
その結果、被せ具６０、１６０、２６０の機械ハウジング１１に対する簡単な取り付けが可能である。被せ具６０、１６０、２６０は、必要でないときは簡単に外すことができるが、被せ具６０、１６０、２６０を機械ハウジング１１に取り付けたままで被加工材表面Ｏの縁部側の加工が可能であるため、比較的長時間にわたって被せ具６０、１６０、２６０を機械ハウジング１１に取り付けたままにしておくことも可能である。
【００７０】
被せ具６０は被覆壁７０を有し、被覆壁７０は被覆部７２と共に機械ハウジング１１の側方から、図では上から、運搬板３３を被覆する。被せ具６０はさらに、保護壁部とも称し得る保護壁７７、７８を有する。被覆部７２の上には、立ち襟のように突出し、受け部６５の範囲を定める立ち壁領域７３が設けられる。
【００７１】
保護壁７７は、ディスク工具３０の側面４７の上流に、つまり、主加工方向ＨＡにおける側面４７の上流に配置されることで、障害物ＨＶとの正面接触から側面４７を保護する。保護壁７８は、横加工方向ＱＲ及びＱＬに対して、側面４８の上流に配置されることで、側方の障害物ＨＲ及びＨＬとの接触からディスク工具３０を保護する。
【００７２】
そうであっても、被加工材表面Ｏの縁部側の加工は容易に実施可能である。保護壁７７と７８との間には凹部７１が設けられており、そこを通って、ディスク工具３０の角領域４１は外周輪郭８０より先へ出る。凹部７１領域において外周輪郭８０は長方形ではなく、対応する凹部又は凹み８１を有する。凹部又は凹み８１においては、加工面３１は、被加工材表面Ｏの縁部側加工を行う縁部側に向かって言わば自由な状態で、いかなる被覆も無く、備えられる。角領域４１において、側面４７及び側面４８の範囲では、加工面３１の側縁領域４２は被せ具６０による前方側の被覆が無く、自由な状態である。それにより、極端な場合、ディスク工具３０は角領域４１において、障害物ＨＶとの、又は、障害物ＨＲ及びＨＬの側との、直接の接触に至る可能性がある。ただし、作業者は概して、障害物ＨＶ、ＨＲ及びＨＬとのそのような直接接触を生じることなく、角領域４１における加工面３１よって被加工材表面Ｏを加工するよう試みるだろう。
【００７３】
さらに、加工面３１の主加工方向ＨＡにおける後方の領域、つまり後ろ部分３９は独立している。つまり、そこは被せ具６０による被覆が無いので、後ろ側面４９は、被加工材表面Ｏの縁部側加工の準備が元々できている。ただし、機械ハウジング１１の後ろ側２４の上で後方へと突出するハンドル部１５、及び、その下にある抽気接続部２１（本例では抽気パイプ）は、後方での作業の妨げになると考えられる。
【００７４】
凹部７１は被覆部７２の範囲において、保護壁７７、７８からそれぞれ延在する狭側壁７９を有し、両狭側壁７９の間には、被覆部７２に狭側壁７６が延在する。そのため、上方からは、角領域４１における運搬板３３すら見ることができ、その結果、同一の表面的な広がりの加工面３１も見ることができる。
【００７５】
可搬機械工具１１０の被せ具１６０は、実質的に三角形の外周輪郭１８０を有し、先端領域１４１に凹み１８１が設けられている。したがって、先端１４３は、被せ具１６０の先に自由に突出する。そのため、凹み１８１の領域に位置する側面１４８の部分と、結果的に、加工面１３１の隣の側面１４８の当該部分の側縁は、被加工材表面Ｏの縁部側又は角の加工作業のための準備ができている自由な状態である。
【００７６】
後ろ部分１３３も、後ろ側面４９と、その部分における加工面１３１の側縁が常時自由な状態であり、つまり被せ具１６０によって被覆されていないので、ディスク工具１３０の後ろ部分１３３は、被加工材表面Ｏの縁部側の加工作業の準備ができている。
【００７７】
被せ具６０のベース部１６１は、先端１４３又は先端領域１４１の領域内の凹部１７１を除いて、ディスク工具３０を被覆する被覆部１７２を有する。側面１４３の先において、被覆部１７２から下方に突出する保護壁１７８は、先端領域１４１を除いて側面１４８を実質的に被覆する。結果として、当該箇所では、破損し易いディスク工具１３０や、ディスク工具によって破損する可能性がある障害物ＨＶ、ＨＲ及びＨＬのための、縁部分の保護又は側面衝撃保護が提供される。ただし、例えば、被せ具６０の側面保護壁７７のような、前方の被覆はない。
【００７８】
凹部１７１において、外周輪郭１８０の先に、ディスク工具１３０の側縁領域１４２は、妨げられることなく突出する。
凹部１７１は、保護壁１７８の領域内の狭側壁１７９と、被覆部１７２と隣接する狭側壁１７６とを有する。
【００７９】
さらに、貫通開口１９０が有利に設けられており、それらを通して、例えば運搬板１３３又はディスク工具１３０を上方から見ることができる。貫通開口１９０は又、抽気接続部２１で取り出される外気を選択的に流入させるために、使用されてもよい。
【００８０】
被せ具２６０は、ディスク工具２６０の後ろ部分２３９を自由な状態とする（被覆しない）。しかしながら、横部分２３８及び前部分２３９は、被せ具２６０によって実質的に被覆される。そのベース部２６１の上には、特に被覆部２７２の上には、例えば外気の流入又はディスク工具３３０のより良い視認性のために、流入開口２９０が設けられる。被覆部２７１の先には、ディスク工具２３０の前の部分２３７を被覆する、被せ具２６０の前方保護壁２７７が突出する。前方保護壁２７７と、ディスク工具２３０の側面２４８を部分的に被覆する保護壁２７８との間には、複数の凹部２７１が設けられ、そこからディスク工具２３０の側縁領域２４２と、結果的には加工面２３１が、自由に突出する。したがって、凹部２７１の一つに配置されるディスク工具２３０の縁部２４１によって、縁部側、例えば障害物ＨＲ又はＨＬの領域において、被加工材表面Ｏの加工が可能である。 
【００８１】
凹部２７１（凹部２７１は１つでもよく、側部２６３又は２６４の１つに設けられてもよい）は、保護壁２７７、２８８の領域に、例えば狭側壁２７９を有し、両狭側壁２７９の間に、被覆部２７２に沿って狭側壁２７６が延在する。
【００８２】
図６には、被せ具２６０の代替である、被せ具３６０を用いる他の実施形態が示される。被せ具３６０は例えば複数の凹部３７１を有し、複数の凹部３７１は、被せ具３６０の外周に角度を持って離して配置される。ディスク工具２３０の端部領域は、複数の凹部３７１を通って、被せ具３６０の外周輪郭の先へ、自由に、ここでは詳細には説明されない態様で、突出する。
【図１】
2019513570.tif 000003
【図２】
2019513570.tif 000004
【図３】
2019513570.tif 000005
【図４】
2019513570.tif 000006
【図５】
2019513570.tif 000007
【図６】
2019513570.tif 000008
【国際調査報告】
2019513570.tif 000009
2019513570.tif 000010
2019513570.tif 000011
2019513570.tif 000012